(57)【要約】      （修正有）【課題】竹炭の複合機能を備えた保温カップを提供する。【解決手段】主に頂蓋体１０内に竹炭セラミック保温内蓋体２０を設置し、別に外杯ハウジング内には竹炭セラミック保温内杯体３０を設置する。該竹炭セラミック保温内蓋体と該竹炭セラミック保温内杯体は消臭が可能で、遠赤外線を発し、またそれは竹炭或いは遠赤外線鉱石をマイナスイオン鉱石と結合し高温で焼成し粉末とし、該粉末と塑性粉末を射出成型し構成する。該各構成部品間には定位装置を設置するため、該頂蓋体、該竹炭セラミック保温内蓋体、該外杯ハウジング、該竹炭セラミック保温内杯体、底蓋体の結合時に回転や上下滑動などの不安定状況が発生せず、よって複合多機能と組立ての安定性を同時に達成することができる。【選択図】図１
0003130708.tif 000002
【実用新案登録請求の範囲】
【請求項１】
主に頂蓋体、外杯ハウジング、底蓋体を含み、
該頂蓋体内には竹炭セラミック保温内蓋体を一体に射出成型し、
該外杯ハウジング内には竹炭セラミック保温内杯体を一体に射出成型し、
該底蓋体は該外杯ハウジング下方に設置することを特徴とする竹炭の複合機能を備えた保温カップ。
【請求項２】
主に頂蓋体、竹炭セラミック保温内蓋体、竹炭セラミック保温内杯体、外杯ハウジング、底蓋体を含み、
該頂蓋体には設置空間を設置し、該設置空間内には定位凸点と係合制御槽を設置し、
該竹炭セラミック保温内蓋体には定位凹槽、係合制御リング、係合制御部を設置し、該竹炭セラミック保温内蓋体が該頂蓋体に設置する設置空間に入ると、該定位凹槽と該頂蓋体に設置する定位凸点は係合し、該係合制御リングは該頂蓋体に設置する係合制御槽に係合し、
該竹炭セラミック保温内杯体には定位環状槽、係合部、下定位凹槽を設置し、該竹炭セラミック保温内蓋体を設置する頂蓋体が該竹炭セラミック保温内杯体上に蓋合する時、該係合部と該竹炭セラミック保温内蓋体の係合制御部は係合し、
該外杯ハウジングには環状定位槽、環状槽、第一係合制御部、下定位凸点を設置し、該竹炭セラミック保温内杯体が該外杯ハウジングに嵌入すると、該定位環状槽と該外杯ハウジングの環状定位槽は係合し、しかも該竹炭セラミック保温内蓋体底部に設置する下定位凹槽と該外杯ハウジングに設置する下定位凸点は係合し、
該底蓋体には定位環状リブ、第二係合制御部を設置し、該底蓋体は該外杯ハウジング底部に蓋合し、該定位環状リブは該外杯ハウジングの環状槽において定位され、該第二係合制御部は該外杯ハウジングに設置する第一係合制御部と相互に係合し、
また、該竹炭セラミック保温内蓋体と該竹炭セラミック保温内杯体は、竹炭或いは遠赤外線鉱石をマイナスイオン鉱石と結合し高温で焼成し粉末とし、該粉末と塑性粉末を射出成型し構成することを特徴とする竹炭の複合機能を備えた保温カップ。
【請求項３】
前記竹炭セラミック保温内蓋体と該竹炭セラミック保温内杯体は竹炭或いは遠赤外線鉱石をマイナスイオン鉱石と結合し高温で焼成し粉末とし、該粉末と塑性粉末を射出成型し構成することを特徴とする請求項１記載の竹炭の複合機能を備えた保温カップ。
【請求項４】
前記竹炭或いは遠赤外線鉱石をマイナスイオン鉱石と結合し高温で焼成した粉末と塑性粉末の割合は５ｗｔ％〜９０ｗｔ％であることを特徴とする請求項３記載の竹炭の複合機能を備えた保温カップ。
【請求項５】
前記竹炭或いは遠赤外線鉱石をマイナスイオン鉱石と結合し高温で焼成した粉末と塑性粉末の割合は５ｗｔ％〜９０ｗｔ％であることを特徴とする請求項４記載の竹炭の複合機能を備えた保温カップ。
【考案の詳細な説明】
【技術分野】
【０００１】
本考案は一種の竹炭の複合機能を備えた保温カップに関する。特に一種の保温容器として応用される竹炭の複合機能を備えた保温カップに係る。
【背景技術】
【０００２】
公知の本還付は図９に示すように、外杯６０、内杯７０、頂蓋体８０により構成される。該内杯７０は該外杯６０内に嵌設され、該頂蓋体８０は該内、外杯体６０、７０上方を蓋合する。
上記公知構造は容器としての機能は十分に備えるが、なお以下の問題が存在する。
1.  機能性不足：単純な容器としての機能のみを備え他の複合機能を備えないため、市場の需要が大きくない。
2.  組合せの安定性が劣る：その内、外杯は嵌合方式により組合されるため、嵌合後の内、外杯は安定的に係合されていない。よって、該内、外杯は回転及び滑動の現象が発生する。
【考案の開示】
【考案が解決しようとする課題】
【０００３】
本考案は上記問題に鑑み、公知保温杯の機能性不足と組合せの安定性不良の問題を改善するために、本考案の竹炭の複合機能を備えた保温カップを提供するものである。
【課題を解決するための手段】
【０００４】
上記課題を解決するため、本考案は下記の竹炭の複合機能を備えた保温カップを提供する。
それは主に頂蓋体、外杯ハウジング、底蓋体により構成し、
該頂蓋体内には竹炭セラミック保温内蓋体を設置し、別に該外杯ハウジング内には竹炭セラミック保温内杯体を設置し、該竹炭セラミック保温内蓋体と該竹炭セラミック保温内杯体は消臭が可能で、遠赤外線を発し、それは竹炭或いは遠赤外線鉱石をマイナスイオン鉱石と結合し高温で焼成し粉末とし、該粉末と塑性粉末を射出成型し構成し、
別に該頂蓋体と該竹炭セラミック保温内蓋体にはそれぞれ定位凸点と定位凹槽を対応設置し、しかも該外杯ハウジングと該竹炭セラミック保温内杯体には環状定位槽と定位環状を対応設置し、さらに該外杯ハウジング底部と該底蓋体には環状槽と定位環状リブを対応設置し、こうして該頂蓋体、該竹炭セラミック保温内蓋体、該外杯ハウジング、該竹炭セラミック保温内杯体、該底蓋体の結合時に回転や上下滑動などの不安定状況が発生しない竹炭の複合機能を備えた保温カップを提供する。
【考案の効果】
【０００５】
上記のように、本考案は複合多機能と組立ての安定性を同時に達成することができ、上記諸機能と目的を達成することができる。
【考案を実施するための最良の形態】
【０００６】
本考案の特徴と構造、技術内容、特徴、機能について、以下に図を用い、最適実施例について詳細に説明する。本図例が説明する実施例は説明に用いるためのもので、本考案の請求項を制限するものではない。
【０００７】
本考案竹炭の複合機能を備えた保温カップの立体組み合わせ、分解、断面状態の指示図である図１、２、３に示すように、本考案は頂蓋体１０、竹炭セラミック保温内蓋体２０、竹炭セラミック保温内杯体３０、外杯ハウジング４０、底蓋体５０を含む。
該頂蓋体１０は設置空間１１を設置し、該設置空間１１内には定位凸点１１０と係合制御槽１１１を設置する。
【０００８】
該竹炭セラミック保温内蓋体２０には定位凹槽２０１、係合制御リング２０２、係合制御部２０３を設置する。該竹炭セラミック保温内蓋体２０が該頂蓋体１０に設置する設置空間１１に入ると、該定位凹槽２０１と該頂蓋体１０に設置する定位凸点１１０は係合し、該係合制御リング２０２は該頂蓋体１０に設置する係合制御槽１１１に係合する。
【０００９】
該竹炭セラミック保温内杯体３０は定位環状槽３０１、係合部３０２、下定位凹槽３０３を設置する。該竹炭セラミック保温内蓋体２０を設置する頂蓋体１０が該竹炭セラミック保温内杯体３０上に蓋合する時、該係合部３０２と該竹炭セラミック保温内蓋体２０の係合制御部２０３は係合する。
【００１０】
該外杯ハウジング４０内には環状定位槽４０１、環状槽４０２、第一係合制御部４０３、下定位凸点４０４を設置する。該竹炭セラミック保温内杯体３０が該外杯ハウジング４０に嵌入すると、該定位環状槽３０１と該外杯ハウジング４０の環状定位槽４０１は係合し、しかも該竹炭セラミック保温内蓋体３０底部に設置する下定位凹槽３０３と該外杯ハウジング４０に設置する下定位凸点４０４は係合する。
【００１１】
該底蓋体５０には定位環状リブ５０１、第二係合制御部５０２を設置する。該底蓋体５０は該外杯ハウジング４０底部に蓋合し、該定位環状リブ５０１は該外杯ハウジング４０の環状槽４０２において定位され、該第二係合制御部５０２は該外杯ハウジング４０に設置する第一係合制御部４０３と相互に係合する。
【００１２】
また、該竹炭セラミック保温内蓋体２０と該竹炭セラミック保温内杯体３０は、竹炭或いは遠赤外線鉱石をマイナスイオン鉱石と結合し高温で焼成し粉末とし、該粉末と塑性粉末を射出成型し構成し、上記構造の組み合わせにより、本考案は竹炭の複合機能を備えた保温カップを完成する。
【００１３】
次に本考案竹炭の複合機能を備えた保温カップの第一実施例立体分解及び断面状態指示図である図４、５に示すように、その全体構造は図１、２、３に示す構造と相同である。但し、該竹炭セラミック保温内杯体３０が設置する定位環状槽３０１は上、下２組で、またそれが対応する外杯ハウジング４０内に設置する環状定位槽４０１もまた上、下２組である。こうして本考案全体の安定性を増強する。
【００１４】
さらに本考案竹炭の複合機能を備えた保温カップの第二実施例立体分解及び断面状態指示図である図６、７に示すように、本実施例構造では頂蓋体１０は上蓋体１２と中環体１３に分けて設置し、該上蓋体と該中環体１３はネジヤマ固定方式により結合される。また、該底蓋体５０の第二係合制御部５０２と該外杯ハウジング４０に設置する第一係合制御部４０３もネジヤマ固定方式により結合される。こうして本考案の実用性をさらに増強する。
【００１５】
続いて本考案竹炭の複合機能を備えた保温カップの第三実施例立体分解及び断面状態指示図である図８に示すように、本実施例の構造形態は円柱状を長方柱或いは他の形態の構造とすることができる。その主要構造は頂蓋体１０内に竹炭セラミック保温内蓋体２０を設置し、外杯ハウジング４０内には竹炭セラミック保温内杯体３０を設置し、しかも底蓋体５０は該外杯ハウジング４０に設置する。こうして異なる形態の変化により、相同の効果と機能を達成し、本考案の実用性をさらに増強する。
【図面の簡単な説明】
【００１６】
【図１】本考案の立体組合せ状態指示図である。
【図２】本考案の立体分解状態指示図である。
【図３】本考案の断面状態指示図である。
【図４】本考案第一実施例の立体分解状態指示図である。
【図５】本考案第一実施例の断面状態指示図である。
【図６】本考案第二実施例の立体分解状態指示図である。
【図７】本考案第二実施例の断面状態指示図である。
【図８】本考案第三実施例の立体分解状態指示図である。
【図９】本考案の公知状態参考図である。
【符号の説明】
【００１７】
１０    頂蓋体
１１    設置空間
１１０  定位凸点
１１１  係合制御槽
１２    上蓋体
１３    中環体
２０    竹炭セラミック保温内蓋体
２０１  定位凹槽
２０２  係合制御リング
２０３  係合制御部
３０    竹炭セラミック保温内杯体
３０１  定位環状槽
３０２  係合部
３０３  下定位凹槽
４０    外杯ハウジング
４０１  環状定位槽
４０２  環状槽
４０３  第一係合制御部
４０４  下定位凸点
５０    底蓋体
５０１  定位環状リブ
５０２  第二係合制御部
６０    外杯
７０    内杯
８０    頂蓋体
【図１】
0003130708.tif 000003
【図２】
0003130708.tif 000004
【図３】
0003130708.tif 000005
【図４】
0003130708.tif 000006
【図５】
0003130708.tif 000007
【図６】
0003130708.tif 000008
【図７】
0003130708.tif 000009
【図８】
0003130708.tif 000010
【図９】
0003130708.tif 000011